(57)【要約】【課題】省電力の状態から復旧処理を行うときの騒音を低減するための手段を提供する。【解決手段】原稿から画像データを読み取る原稿読取部と、画像データをもとに印刷用紙に印刷を行う画像形成部とを備える画像処理装置であって、復旧処理の情報を記憶する記憶手段を有し、前記記憶手段に記憶された復旧処理の情報が静音による復旧処理を示す内容のとき、省電力の状態から復旧処理を行う際に、各部の動作を低速で行うことを特徴とする。【選択図】図１
2012093617.tif 000002
【特許請求の範囲】
【請求項１】
原稿から画像データを読み取る原稿読取部と、画像データをもとに印刷用紙に印刷を行う画像形成部とを備える画像処理装置であって、
復旧処理の情報を記憶する記憶手段を有し、
前記記憶手段に記憶された復旧処理の情報が静音による復旧処理を示す内容のとき、省電力の状態から復旧処理を行う際に、各部の動作を低速で行うことを特徴とする画像処理装置。
【請求項２】
請求項１に記載の画像処理装置において、
入力手段によって通常か静音かの復旧処理の種別を特定する入力がなされたとき、その入力された種別を復旧処理の情報として前記記憶手段に記憶し、
前記記憶手段に記憶した種別が静音による復旧処理であるとき、省電力の状態から復旧処理を行う際に、各部の動作を低速で行うことを特徴とする画像処理装置。
【請求項３】
請求項１に記載の画像処理装置において、
入力手段によって、静音による復旧処理を行う時間帯を指定する入力がなされたとき、その時間帯を復旧処理の情報として前記記憶手段に記憶し、
省電力の状態から復旧処理を行う際、現在時刻を取得し、前記記憶手段から静音による復旧処理を行う時間帯を読み出し、読み出した時間帯に現在時刻が含まれるとき、各部の動作を低速で行うことを特徴とする画像処理装置。
【請求項４】
請求項１、請求項２または請求項３に記載の画像処理装置において、
外部装置に画像データを送信する通信部を設け、
待機状態が所定時間続いた場合に省電力の状態に切替えるようにし、
入力手段によって画像データの送信予約時間が入力されたとき、その送信予約時間を前記記憶手段に記憶しておき、
省電力の状態の間に、前記記憶手段に現在時刻と一致する送信予約時間があり、かつ前記所定時間内に他の送信予約時間を記憶していない場合、前記原稿読取部に対してのみ復旧処理を行い、予めセットされた原稿から前記原稿読取部によって画像データを読み取り、その画像データを前記通信部により外部装置に送信することを特徴とする画像処理装置。
【発明の詳細な説明】
【技術分野】
【０００１】
本発明は、原稿から画像データを読み取るファクシミリやプリンタ等の画像処理装置に関し、特に省電力モードからの復旧処理のときに発生する騒音を低減するための方法に関する。
【背景技術】
【０００２】
従来の画像処理装置は、消費電力削減のために各部への電力供給を制限したパワーセーブ待機状態で待機することがあり、そのパワーセーブ待機状態から操作スイッチの所定の操作等のメイン電源の投入要因が発生したときに、各部への電力供給を再開して各部を作動させている（例えば、特許文献１参照。）。
【先行技術文献】
【特許文献】
【０００３】
【特許文献１】特開２０００−５６８６９号公報（段落「００３７」−段落「００４３」、図２）
【発明の開示】
【発明が解決しようとする課題】
【０００４】
しかしながら、上述した従来の技術においては、パワーセーブ待機状態から各部への電力供給を再開して各部を動作させるときには、各部のウォーミングアップ動作を行っているため、装置内に配されたモータの駆動音やローラの回転音等によって騒音が大きくなってしまうという問題がある。
本発明は、上記の問題点を解決するための手段を提供することを目的とする。
【課題を解決するための手段】
【０００５】
本発明は、上記課題を解決するために、原稿から画像データを読み取る原稿読取部と、画像データをもとに印刷用紙に印刷を行う画像形成部とを備える画像処理装置であって、復旧処理の情報を記憶する記憶手段を有し、前記記憶手段に記憶された復旧処理の情報が静音による復旧処理を示す内容のとき、省電力の状態から復旧処理を行う際に、各部の動作を低速で行うことを特徴とする。
【発明の効果】
【０００６】
これにより、本発明は、パワーセーブ待機状態等の省電力の状態から、ウォーミングアップ動作等による復旧処理を行う際に発生する騒音を抑え、静音性を向上させることができるという効果が得られる。
【図面の簡単な説明】
【０００７】
【図１】実施例１の画像処理装置の構成を示すブロック図
【図２】原稿読取部を示す構成図
【図３】原稿送り部を示す概略構成図
【図４】フラットベット部を示す上面図
【図５】復旧設定処理を示すフローチャート
【図６】省電力モード切替処理を示すフローチャート
【図７】実施例１の画像処理装置の復旧処理を示すフローチャート
【図８】実施例２のサイレントモード有効時間の設定処理を示すフローチャート
【図９】実施例２の画像処理装置の復旧処理を示すフローチャート
【図１０】実施例３の画像データ送信処理を示すフローチャート
【発明を実施するための最良の形態】
【０００８】
以下に、図面を参照して本発明による画像処理装置の実施例について説明する。
【実施例１】
【０００９】
図１は実施例１の画像処理装置の構成を示すブロック図である。
図１において、１は使用者がセットした原稿の画像データを取得する印刷機やファクシミリ等の画像処理装置であり、オペレータパネル部２、原稿読取部３、通信部４、画像形成部５、制御部６、記憶部７、電源部８等によって構成される。
【００１０】
オペレータパネル部２は、テンキー等の入力キーを配した入力部と、入力部による入力内容等を表示するＬＣＤ等の表示部とを有し、使用者が原稿の画像データ取得の指示入力等を行うために使用される。
画像読取部３は、使用者が給紙トレイ上にセットした原稿を取り込んで搬送する原稿送り部と原稿から画像データを読み取るフラットベット部とを備えており、原稿送り部とフラットベット部の構成については後述する。
【００１１】
通信部４は、専用回線等の通信回線を介して外部ファクシミリと通信可能に接続し、画像データの送受信を行う機能を有する。
画像形成部５は、印刷用紙を収納した図示しない用紙収納部内の印刷用紙を搬送する搬送機構や、搬送した印刷用紙に画像データに基づく印刷を行うための印刷処理機構等を備えている。
【００１２】
制御部６は、記憶部７に格納された制御プログラムに従って、各部を制御して画像データ取得処理や印刷処理等を遂行する。
また、制御部６は画像データ取得処理や印刷処理を所定時間（例えば、１０分間）遂行していないときに、消費電力を小さくするために原稿読取部３や画像形成部５への電力供給を低減させる省電力モードに切替える省電力モード切替処理を行う。
【００１３】
記憶部７は、画像データ取得処理や印刷処理、省電力モード切替処理、省電力モードから各部の立ち上げを行う復旧処理等に関する制御プログラムを格納し、制御部６による処理結果等を記憶する。
また、記憶部７は復旧処理に関し、通常通りの復旧処理を遂行するための通常復旧処理のプログラムと、発生する騒音を抑えて静音による復旧処理を遂行するための静音復旧処理のプログラムとを格納している。
【００１４】
そのため、本実施例において制御部６は、通常復旧処理のプログラムに基づく通常復旧モードあるいは、静音復旧処理のプログラムに基づくサイレントモードによる二種類の復旧処理を行うことが可能となっている。
電源部８は、画像処理装置１の各部に電力を供給する。
【００１５】
図２は原稿読取部を示す構成図である。
原稿読取部３は、図２に示すように上部側の原稿送り部１０と下部側のフラットベット部３０によって構成される。
１１は原稿載置ガラス面であり、フラットベット部３０の上一部となっており、原稿送り部１０を持ち上げたときに、外部に露出した状態となって画像データの読取対象となる原稿が載置される。
【００１６】
図３は原稿送り部を示す概略構成図である。
図３において、１２は給紙トレイであり、画像データの読取り対象となる原稿がセットされる。
１３は分離機構であり、給紙トレイ１２の下流側に配されたピックアップローラ１４と、ピックアップローラ１４を下方から押圧する分離片１５とからなり、給紙トレイ１２にセットされた原稿をピックアップローラ１４と分離片１５との間を通過させることで、１枚ずつ分離して搬送路１６へと送り出す。
【００１７】
搬送路１６は、途中に搬送方向の上流から順にホッピングローラ１７、搬送ローラ部１８、スキャンローラ部１９を配しており、原稿を送り部ガラス面２０上を経由して原稿排出台２１へと搬送する。なおスキャンローラ部１９は送り部ガラス面２０よりも上流側に配されている。
搬送ローラ部１８とスキャンローラ部１９は、それぞれが２個一対のローラで構成されて原稿を挟持搬送する。
【００１８】
２２は送り部用モータであり、図示しないギア列やベルトを介してピックアップローラ１４やホッピングローラ１７、搬送ローラ部１８、スキャンローラ部１９を回転駆動させる。
２３は原稿検知センサであり、給紙トレイ上の原稿を検知する。
【００１９】
２４はスキャンセンサであり、スキャンローラ部１９と送り部ガラス面２０との間に配されており、原稿の先頭の読み出し位置のタイミングを監視するためのセンサである。
２５は排出部であり、上記送り部用モータ２２による駆動によって回転する２個１対の排出ローラにより構成されて、送り部ガラス面２０を通過した原稿を排出台２１へと放出して排出する。
【００２０】
ここで、図４はフラットベット部を示す上面図である。
図４において３１はキャリッジであり、原稿から画像データを読み取る機能を有する。
３２は移動機構であり、キャリッジ移動用モータ３３と、キャリッジ移動用モータ３３による駆動が伝達して正逆方向に回転する無端状のベルト３４とによって構成される機構であって、ベルト３４の一部にキャリッジ３１が取り付けられキャリッジ移動用モータ３３によりベルト３４が回転することによって、キャリッジ３１を往復移動させる。
【００２１】
３５はキャリッジシャフトであり、キャリッジ３１に挿通してベルト３４と平行に延びるシャフトであり、キャリッジ３１の水平移動を案内する。
３６はキャリブレーションシートであり、キャリッジ３１が配されている側の表面に白パターンおよび黒パターンを配した白黒パターンで構成され、キャリッジ３１が読み取る画像データの白黒レベルを調整するためのものである。
【００２２】
上記のように構成された画像処理装置１の制御部６は、給紙トレイ１２にセットされた原稿については分離機構１３によって搬送路１６に送り出して、キャリッジ３１を送り部ガラス面２０の下方に移動させておき、搬送路１６によって送り部ガラス面２０へと原稿を搬送する。
【００２３】
制御部６は、送り部ガラス面２０の下方まで移動させたキャリッジ３１により、送り部ガラス面２０を透して、送り部ガラス面２０を通過していく原稿から画像データを読み取っていく。
そして、制御部６は送り部ガラス面２０を通過した原稿を排出部２５によって排出台２１に排出すると共に、読み取った画像データをもとに画像形成部５によって印刷処理を実行する。
【００２４】
また原稿載置ガラス面１１上に原稿が設置されたとき、制御部６はキャリッジ３１を原稿載置ガラス面１１の一端側の下方から他端側の下方にかけて移動させると共に、原稿載置ガラス面１１を透して原稿から画像データを読み取っていく。
そして、制御部６は読み取った画像データをもとに画像形成部５によって印刷処理を実行する。
【００２５】
上述した構成の作用について、使用者による省電力モードからの復旧処理を設定する復旧設定処理について、図５に示す復旧設定処理を示すフローチャートを用い、Ｓで示すステップに従って説明する。
【００２６】
Ｓ１、制御部６は、使用者がオペレータパネル部２の入力部によって省電力モードからの復旧の設定入力を行うための入力操作がなされたことを認識すると、オペレータパネル部２の表示部に省電力からの復旧時に通常復旧モードあるいはサイレントモードのどちらの復旧処理を行うかを選択させる復旧処理選択画面を表示する。
使用者は、復旧処理選択画面から通常復旧モードあるいはサイレントモードを指定する入力を行う。
【００２７】
Ｓ２、制御部６は、復旧処理選択画面で使用者によるモードを指定する入力を受け付けると、その指定されたモードの情報を含めた省電力立ち上げ情報を構成し、その省電力立ち上げ情報を記憶部７に記憶し、復旧設定処理を終了する。
【００２８】
次に、図６に示す省電力モード切替処理を示すフローチャートを用い、ＳＡで示すステップに従って、省電力モードに切替えるときの処理について説明する。
ＳＡ１、制御部６は、印刷処理や画像データ取得処理等の各種処理を行っていない場合、オペレータパネル部２による使用者からの入力を待つ待機状態となっており、図示しない時計機能によって待機状態が所定の時間経過したことを認識したときに、省電力モードへの切替えを開始する。
【００２９】
ＳＡ２、制御部６は、原稿読取部３を監視することで、原稿読取部３が画像データ取得処理等を行っていないことを確認してから、電源部８によって原稿読取部３への電力供給を停止する。
ＳＡ３、制御部６は、画像形成部５を監視することで、画像形成部５が印刷処理等を行っていないことを確認してから、電源部８によって画像形成部５への電力供給を停止する。
【００３０】
ＳＡ４、制御部６は、オペレータパネル部２による入力がなされていないことを確認して、使用者がオペレータパネル部２の入力キーを押下したか否かを判断できる程度に電源部８による電力供給量を低減させ、省電力モードへの切替えを終了する。
【００３１】
次に復旧処理について図７の実施例１の画像処理装置の復旧処理を示すフローチャートを用い、ＳＢで示すステップに従って説明する。
ＳＢ１、制御部６は、省電力モードの最中にオペレータパネル部２の入力キーの押下を認識した際に、復旧処理を開始するため、記憶部７に記憶している省電力立ち上げ情報を読み出す。
【００３２】
ＳＢ２、制御部６は、読み出した省電力立ち上げ情報に含まれるモードの情報が、通常復旧モードであるか、サイレントモードであるかを判断し、通常復旧モードである場合はステップＳＢ３に進み、サイレントモードである場合はステップＳＢ４に移行する。
【００３３】
ＳＢ３、制御部６は、省電力立ち上げ情報に含まれるモードの情報が、通常復旧モードであることを判断すると、省電力モードからの復旧処理を通常通りに実行し、復旧処理を終了する。
なお、復旧処理ではオペレータパネル部２や画像読取部３、画像形成部５等の電力供給を制限していた部位への電力供給を行うと共に、画像読取部３と画像形成部５の初期化作業を行う。
【００３４】
画像読取部３の初期化作業を行う制御部６は、送り部用モータ２２の駆動によってピックアップローラ１４やホッピングローラ１７、搬送ローラ部１８、スキャンローラ部１９を一定時間回転（動作）させ、原稿検知センサ２３、スキャンセンサ２４等によって搬送路１６中に原稿が無いことを確認する他、キャリッジ移動用モータ３３を駆動することでキャリッジ３１をキャリブレーションシート３６の下方に移動（動作）させ、キャリブレーションシートの白黒パターンをキャリッジ３１で読み取ることで、基準となる白黒データの読み込みと画質調整を行う。またこれによって画像読取部３のウォーミングアップを行う。
【００３５】
また、画像形成部５の初期化作業を行う制御部６は、その印刷処理機構を動作させるための駆動を与える図示しない駆動機構を動作させる。その際に印刷処理機構のウォーミングアップを行っていく。
【００３６】
ＳＢ４、制御部６は、省電力立ち上げ情報に含まれるモードの情報が、サイレントモードであることを判断すると、送り部用モータ２２とキャリッジ移動用モータ３３、画像形成部５の印刷処理機構を駆動させる図示しない駆動機構等、各モータ及び駆動機構を、通常復旧モードのときの駆動よりも低速で駆動させていき、その後復旧処理を終了する。
なお、サイレントモードによる復旧処理は、送り部用モータ２２とキャリッジ移動用モータ３３、画像形成部５の印刷処理機構を駆動させる図示しない駆動機構を通常よりも低速で駆動させることから、通常復旧モードに比べて終了までに余分に時間が掛かる。
【００３７】
以上説明したように、本実施例では、省電力モードから復旧処理を開始する際に、サイレントモードによる復旧を可能としたことにより、通常よりも騒音の発生を抑えて復旧処理における静音性を向上させることができる。
【実施例２】
【００３８】
本実施例の画像処理装置１の構成は上記実施例１の構成と同様であるが、サイレントモードによる復旧処理を行う際に、そのときの時刻に応じてサイレントモードで行うか通常復旧モードで行うかが決まる点が相違する。
そのため、本実施例ではオペレータパネル部２の表示部にサイレントモードで復旧処理を実行する時間帯を設定させる画面を表示した状態で、使用者がオペレータパネル部２の入力部によってサイレントモードを行う時間帯の設定入力をさせるようにする。
【００３９】
ここで、図８は実施例２のサイレントモード有効時間の設定処理を示すフローチャートであり、ＳＣで示すステップに従ってサイレントモードによる復旧処理を実行する時間帯を設定させる処理について説明する。
【００４０】
ＳＣ１、制御部６は、使用者がオペレータパネル部２の入力部によってサイレントモードによる復旧処理を行う場合の時間帯を設定する入力操作を行ったことを認識すると、オペレータパネル部２の表示部にサイレントモードを行う時間帯を入力させるサイレントモード有効時間設定画面を表示する。
使用者は、サイレントモード有効時間設定画面からサイレントモードを行う時間帯を指定する入力を行う。
【００４１】
ＳＣ２、制御部６は、サイレントモード有効時間設定画面で使用者による時間帯を指定する入力を受け付けると、その指定されたサイレントモード有効時間を記憶部７に記憶し、サイレントモードによる復旧処理を実行する時間帯を決める設定処理を終了する。
【００４２】
次に、復旧処理について、図９の実施例２の画像処理装置の復旧処理を示すフローチャートを用い、ＳＤで示すステップに従って説明する。
そのため画像処理装置１は省電力モードの状態となっているものとする。
ＳＤ１、制御部６は、省電力モードの最中にオペレータパネル部２の入力キーの押下を認識した際に、復旧処理を開始するため、記憶部７に記憶しているサイレントモード有効時間を読み出す。
【００４３】
ＳＤ２、制御部６は、現在時刻を図示しない時計機能によって認識し、現在時刻がサイレントモード有効時間の時間帯に含まれているか否かを判断し、含まれていない場合はステップＳＤ３に進み、含まれている場合はステップＳＤ４に移行する。
ＳＤ３、制御部６は、現在時刻がサイレントモード有効時間に含まれていないと判断すると、省電力モードからの復旧処理を通常復旧モードによって実行し、復旧処理を終了する。
【００４４】
ＳＤ４、制御部６は、現在時刻がサイレントモード有効時間に含まれていると判断すると、送り部用モータ２２とキャリッジ移動用モータ３３、画像形成部５の印刷処理機構を駆動させる図示しない駆動機構を、通常復旧モードのときの駆動よりもゆっくりと駆動させるサイレントモードによって省電力モードからの復旧処理を実行して終了する。
【００４５】
以上説明したように、本実施例では、上記実施例１の効果に加えて、サイレントモードによる復旧処理の時間帯を設定させるようにしたことにより、サイレントモードは通常復旧モードよりも復旧処理が終わるまでに時間が掛かってしまうが、サイレントモードを画像処理装置の使用頻度が低い時間帯で行うようにし、画像処理装置の使用頻度が高い時間帯は通常復旧モードで復旧処理を行わせるようにすれば、使用頻度が高い時間帯において復旧処理を待つ使用者に対して、その待ち時間が増えてしまうのを防止でき、利便性を向上させることができる。
【実施例３】
【００４６】
本実施例の画像処理装置１は、上記各実施例の画像処理装置１に予め原稿載置ガラス面１１や給紙トレイ上にセットされた原稿から画像データを読み取ってその画像データを外部ファクシミリに送信する予約時刻（送信予約時間という。）の入力を受け付ける点が相違する。
【００４７】
なお、画像処理装置１の制御部６は、入力された送信予約時間を記憶部７に記憶しておき、現在時刻が送信予約時間になったときに予めセットされた原稿の画像データを画像読取部３によって読み取り、その画像データを通信部４によって外部ファクシミリに送信する。
【００４８】
先ず、送信予約時間を記憶するまでの処理について説明する。
使用者が画像データの送信予約時間とその宛先を入力するための画面を表示する操作をオペレータパネル部２の入力部によって行うと、制御部６はオペレータパネル部２に画像データの送信予約時間の入力欄と宛先の入力欄等を配した画像データ送信予約画面を表示する。このとき使用者は原稿載置ガラス面１１や給紙トレイ上に原稿を載置しているものとする。
【００４９】
使用者が表示された画像データ送信予約画面の入力欄に送信予約時間と宛先を入力したとき、制御部６は入力された送信予約時間と宛先とを関連づけて記憶部７に記憶する。
【００５０】
次に、省電力モードの途中で画像処理装置１が記憶している送信予約時間に従って画像データを外部ファクシミリに送信するときの処理を、図１０の実施例３の画像データ送信処理を示すフローチャートを用いてＳＥで示すステップに従って説明する。
【００５１】
ＳＥ１、制御部６は、通常の待機状態でも省電力モードの状態であっても図示しない時計機能によって現在時刻を認識すると共に、その現在時刻を記憶している送信予約時間と比較し、現在時刻が送信予約時間となったことを確認する。
ＳＥ２、制御部６は、送信予約時間と現在時刻とを比較した結果、一致していることを確認したときに省電力モード中であるか否かを判断し、省電力モード中である場合は次のステップＳＥ３に進み、省電力モード中ではない場合はステップＳＥ７に移行する。
【００５２】
ＳＥ３、制御部６は、省電力モード中であることを確認したとき、次の省電力モードへの切替えまでの時間帯に処理する他の送信予約時間または印刷予約を記憶している場合はステップＳＥ６に進み、他の送信予約時間または他の印刷データを記憶していない場合はステップＳＥ４に移行する。
【００５３】
ＳＥ４、制御部６は、省電力モードへの切替えまでの時間帯に別の送信予約時間を記憶していないとき、省電力モードで電力供給を制限している部位の内、原稿読取部３に限定して復旧処理に伴う電源部８による電力供給を行う。
これはこの復旧処理は送信予約時間が入力された画像データの送信に関するものであり、画像形成部５の機能が直ぐに必要となるものではなく、必要最低限の機能のみを復旧させるためである。
【００５４】
ＳＥ５、制御部６は、電源部８によって電力供給を行っている原稿読取部３の復旧処理を行い、その復旧処理が完了したことを認識したとき、後述のステップＳＥ７に移行して予め原稿載置ガラス面１１や給紙トレイ上に載置されている原稿の画像データを読み取り処理を行う。
【００５５】
ＳＥ６、制御部６は、上記ステップＳＥ３で次の省電力モードへの切替えまでの時間帯に処理する他の送信予約時間または印刷予約を記憶していることを確認したとき、原稿読取部３および画像形成部５の復旧処理を含む、省電力モードで制限していた全ての部位へ復旧処理に伴う電力供給を行って復旧処理を行い、その復旧処理が完了したことを認識したとき、後述のステップＳＥ７に進んで予め原稿載置ガラス面１１や給紙トレイ上に載置されている原稿の画像データを読み取り処理を行う。
【００５６】
なお、上記ステップＳＥ５、ＳＥ６において実行する復旧処理は上記実施例２と同様に復旧処理におけるサイレントモードを実行する時間帯が設定されているものとし、復旧処理を開始した時間帯に応じて通常復旧モードとサイレントモードの何れか一方を実行しているものとする。
【００５７】
ＳＥ７、制御部６は、現在時刻と同じ時間になった送信予約時間に関連づけられた宛先を記憶部７から読み出しておき、予め原稿載置ガラス面１１や給紙トレイ上に載置されている原稿の画像データを画像読取部３によって読み取る。
ＳＥ８、制御部６は、上記ステップＳＥ３で読み出した宛先の外部ファクシミリに、読み取った画像データを通信部４によって送信し、画像データ送信処理を終了する。
【００５８】
以上説明したように、本実施例は、上記各実施例の効果に加えて、画像データ送信のために復旧処理を行う場合に、送信後の待機状態から省電力モードに切替える所定時間内に他の送信予約時間を記憶していない場合に、原稿読取部に限定して復旧処理を行うので、より節電を図ることができると共に、画像形成部を動作させない分、画像形成部の寿命を延ばすことができる。
【００５９】
なお、上記実施例３においては、予め原稿が原稿載置ガラス面１１や給紙トレイ上にセットされたものとして説明したが、これに限らず図示しない送信予約の原稿をセットする予約用原稿トレイと予約用原稿トレイ上の原稿を搬送路１６へと送り出す図示しない取込ローラ等を設けるようにし、送信予約時間となったときには予約用原稿トレイ上の原稿を搬送し、その画像データを読み取るようにしてもよい。
【符号の説明】
【００６０】
１    画像処理装置
２    オペレータパネル部
３    原稿読取部
４    通信部
５    画像形成部
６    制御部
７    記憶部
８    電源部
１０  原稿送り部
１１  原稿載置ガラス面
１２  給紙トレイ
１３  分離機構
１４  ピックアップローラ
１５  分離片
１６  搬送路
１７  ホッピングローラ
１８  搬送ローラ部
１９  スキャンローラ部
２０  送り部ガラス面
２１  原稿排出台
２２  送り部用モータ
２３  原稿検知センサ
２４  スキャンセンサ
２５  排出部
３０  フラットベット部
３１  キャリッジ
３２  移動機構
３３  キャリッジ移動用モータ
３４  ベルト
３５  キャリッジシャフト
３６  キャリブレーションシート
【図１】
2012093617.tif 000003
【図２】
2012093617.tif 000004
【図３】
2012093617.tif 000005
【図４】
2012093617.tif 000006
【図５】
2012093617.tif 000007
【図６】
2012093617.tif 000008
【図７】
2012093617.tif 000009
【図８】
2012093617.tif 000010
【図９】
2012093617.tif 000011
【図１０】
2012093617.tif 000012